(57)【要約】【課題】左右のコードのどちらか一方の長さを容易に可変できる機構を設けたイヤフォン【解決手段】分岐部５を基点とした左右いずれかのイヤフォン１と等長コード２に、プラグ保持機構付左右コード収束スライダー７を設け、一方の等長コード２は前記した分岐部５を基点とした、プラグ側コード６に設けたコード弛み、膨らみ押さえスライダー８、コード長さ調節スライダー９各々を経由し、再度コード弛み、膨らみ押さえスライダー８に設けた弛み、膨らみコード保持用孔１０通り、前記イヤフォン１側に設けたプラグ保持機構付左右コード収束スライダー７を経由し一方のイヤフォン１と接合するように構成されている。【選択図】図１
2009201087.tif 000002
【特許請求の範囲】
【請求項１】
音楽及び音声視聴用のＹ字状に左右独立したコードを備えたイヤフォンにおいて、左右のコードの長さが等長のタイプ、又は一方のコードのみが長い不等長タイプのイヤフォンコード長を使用状況に応じ、等長タイプのイヤフォンではどちらか一方のコード長を可変可能とし、不等長タイプのイヤフォンでは長い方のコード長を可変可能としたイヤフォンであって、プラグとイヤフォンの間のコード全長の途中に分岐部を設け、この分岐部を基点に２本のコードを１つに束ねたプラグ側１本コードと、左右に分離したイヤフォン側の２本コードとに分けてある。等長コードの場合は左右どちらか一方のイヤフォンコードを縮めるようにし、不等長のイヤフォンコードにおいては左右どちらか長い方のイヤフォンコードを縮めるようにする。両タイプ共、リング又は円筒状のスライダーの孔に、先ず縮めようとするイヤフォンコードを分岐部を基点にプラグ側の１本コード側へ導いた上、プラグ側の１本コードと一緒に通してあり、その後縮めようとするイヤフォンコードをスライダーからプラグ側とは逆方向側へ曲げた状態で、残りもう一方のイヤフォンコードとまとめて分岐部を基点にイヤフォン側に設けたスライダーの孔の中を通してあることを特徴とした左右コード長可変式イヤフォン。
【請求項２】
イヤフォンコード長を調節する際に発生するコード弛み、及び膨らみを抑える為にコード長調節用スライダーとコード途中の分岐部との間に１つ、又は複数個のスライダーを設けたことを特徴とした請求項１記載の左右コード長可変式イヤフォン。
【請求項３】
前記、複数個設けたスライダーの内、少なくとも１つのスライダーには、径の異なった２つの孔を設けたことを特徴とした請求項１及び２記載の左右コード長可変式イヤフォン。
【請求項４】
イヤフォン側へ設けたスライダーの一部に、プラグ先端か、プラグツマミ部、又はその近傍にコードを保持する機構を設けてあることを特徴とした請求項１〜３記載の左右コード長可変式イヤフォン。
【請求項５】
左右のイヤフォンコードを、一まとめにして保持できる機構をプラグツマミ部に設けたことを特徴とした請求項１〜４記載の左右コード長可変式イヤフォン。
【発明の詳細な説明】
【発明が属する技術分野】
【０００１】本発明は、Ｙ字状に左右それぞれ独立したイヤフォンコードを備えたイヤフォンのコード長に関するものである。
【背景技術】
【０００２】従来からあるイヤフォンは左右のコードが同じ長さのタイプと、片方のコードが長いものと２種類ある。
【発明が解決しようとする課題】
【０００３】左右のコードが同じ長さのイヤフォンでは、Ｙ字状のコードが胸の辺りでぶら付くので煩わしく感じ、手や物がちょっとコードに引っかかった拍子に耳から外れるなどする場合があった。又片方のコードがより長いイヤフォンでは通常首の後ろ側に回して耳に装着するが、服装、ヘアスタイルによっては服の襟や髪にまとわり付いたり、引っかかったりする等の問題がある。更にコードの長さが均等でない為、収納時の収まり具合が悪いと言う問題もあり、それぞれに一長一短があり１つで両方の要件を満たせるものはなかった。
【課題を解決する手段】
【０００４】。
前記問題を解決すべく、イヤフォンコード長が等長のタイプ、不等長のタイプに関わらず、使用時の状況に応じイヤフォンコードをＹ字状にしたり、片側だけのコード長を無段階に変えたりするなど、コード長を容易に可変できる機構としたことで、飛躍的に利便性をアップすることが可能である。
【発明の実施と形態】
【０００５】本発明の構成を図１〜図８によって説明する。
Ｙ字状に左右に設けたイヤフォン１の等長のタイプは、分岐部５を基点とした左右いずれかのイヤフォン１と等長コード２に、プラグ保持機構付左右コード収束スライダー７を設け、一方の等長コード２は前記した分岐部５を基点とした、プラグ側コード６に設けたコード弛み、膨らみ押さえスライダー８、コード長さ調節スライダー９各々を経由し、再度コード弛み、膨らみ押さえスライダー８に設けた弛み、膨らみコード保持用孔１０通り、前記イヤフォン１側に設けたプラグ保持機構付左右コード収束スライダー７を経由し一方のイヤフォン１と接合するように構成されている。
【０００６】又、Ｙ字状に左右に設けたイヤフォン１の不等長タイプは、分岐部５を基点とした短いコード３とイヤフォン１に、プラグ保持機構付左右コード収束スライダー７を設け、長いコード４は、前記した分岐部５を基点とした、プラグ側コード６にコード弛み、膨らみ押さえスライダー８、コード長さ調節スライダー９各々を経由し、再度コード弛み、膨らみ押さえスライダー８に設けた弛み、膨らみコード保持用孔１０通り、前記イヤフォン１側に設けたプラグ保持機構付左右コード収束スライダー７を経由し一方のイヤフォン１と接合するように構成されている
【実施例】
【０００７】本発明の実施例を図９〜図１１によって説明する。
前記のように構成された等長タイプのコード２を短く調節する方法は、等長コード２が分岐部５を基点とし、プラグ側コード６に設けたコード弛み、膨らみ押さえスライダー８、コード長さ調節スライダー９各々を経由し、再度コード弛み、膨らみ押さえスライダー８に設けた弛み、膨らみコード保持用孔１０通り、イヤフォン１側に設けたプラグ保持機構付左右コード収束スライダー７を経由し一方のイヤフォン１と接合している。前記コード２を、分岐部５を基点としイヤフォン１側に設けたプラグ保持機構付左右コード収束スライダー７を基点とし、プラグ側コード６に設けたコード長さ調節スライダー９を引き下げ調節する。この際コード２の弛み、膨らみの調節は、コード弛み、膨らみ押さえスライダー８で行う。【０００８】不等長イヤフォン１の長いコード４を等長叉は短いコード３よりも短くする場合も、前記【０００７】記載の方法で行う。【０００９】又、イヤフォン１のコード収納方法として、プラグ保持機構付左右コード収束スライダー７をイヤフォン１の基部１４近傍にスライドさせ、プラグツマミ１３で形成したプラグ１２と接合したプラグ側コード６を、前記プラグ保持機構付左右コード収束スライダー７のプラグ側コード取付け孔１１に取り付けることによりコードの収納が出来る。
【発明の効果】
【００１０】イヤフォンコード長が等長のタイプ、不等長のタイプに関わらず、使用時の状況に応じイヤフォンコードをＹ字状にしたり、片側だけのコード長を無段階に変えたりするなど、コード長を容易に可変できる。
【００１１】イヤフォンコードの収納が容易に出来る。
【図面の簡単な説明】
【００１２】
【図１】本発明左右コード長可変式イヤフォンの等長コードタイプを示す正面図。
【図２】本発明左右コード長可変式イヤフォンの不等長コードタイプを示す正面図。
【図３】本発明左右コード長可変式イヤフォンのプラグ保持機構付左右コード収束スライダーを示す平面図。
【図４】同上の縦断面図。
【図５】本発明左右コード長可変式イヤフォンのコード弛み、膨らみ押さえスライダーを示す平面図。
【図６】同上の縦断面図。
【図７】本発明左右コード長可変式イヤフォンのコード長さ調節スライダーを示す平面図。
【図８】同上の縦断面図。
【図９】本発明左右コード長可変式イヤフォンの等長コードタイプの実施例を示す正面図。
【図１０】本発明左右コード長可変式イヤフォンの不等長コードタイプの実施例を示す正面図。
【図１１】本発明左右コード長可変式イヤフォンのプラグ側コードを収納した実施例を示す正面図。
【符号の説明】
【００１３】  １：イヤフォン
２：等長コード
３：短いコード
４：長いコード
５：分岐部
６：プラグ側コード
７：プラグ保持機構付左右コード収束スライダー
８：コード弛み、膨らみ押さえスライダー
９：コード長さ調節スライダー
１０：弛み、膨らみコード保持用孔
１１：プラグ側コード取付け孔
１２：プラグ
１３：プラグツマミ
１４：基部
【図１】
2009201087.tif 000003
【図２】
2009201087.tif 000004
【図３】
2009201087.tif 000005
【図４】
2009201087.tif 000006
【図５】
2009201087.tif 000007
【図６】
2009201087.tif 000008
【図７】
2009201087.tif 000009
【図８】
2009201087.tif 000010
【図９】
2009201087.tif 000011
【図１０】
2009201087.tif 000012
【図１１】
2009201087.tif 000013